(57)【要約】【課題】グリップ部にゴム部品を備えるカメラにおいて、グリップ部にゴム部品を小スペースで、且つ要求の引き剥がし力を有するカメラを提供すること。【解決手段】把持領域と指掛かり領域を備えるゴム製グリップ部材と、前記ゴム製グリップ部材を設置する凹面を備える筺体部と、前記ゴム製グリップ部材を前記凹面に接着する接着剤と、を備える撮像装置において、前記ゴム製グリップ部材の指掛かり領域の接着面側には、前記撮像装置内部方向に延出する突起部を有し、前記凹面には前記突起部を挿入する穴を有し、前記接着剤で前記突起部と前記穴内側面を接着することを特徴ことを特徴とする。【選択図】図４
2014215343.tif 000002
【特許請求の範囲】
【請求項１】
把持領域（Ｈ）と指掛かり領域（Ｙ）を備えるゴム製グリップ部材（１０５）と、
前記ゴム製グリップ部材を設置する凹面（１０２ｂ）を備える筺体部（１０２）と、
前記ゴム製グリップ部材を前記凹面に接着する接着剤（２０１）と、を備える撮像装置（１０１）において、
前記把持領域（Ｈ）は、撮像装置を把持したときに、手の指の腹が当接する領域であり、
前記指掛かり領域（Ｙ）は、撮像装置を把持したときに、手の指の側面部が当接する領域であり、
前記ゴム製グリップ部材（１０５）の指掛かり領域（Ｙ）の接着面側には、前記撮像装置内部方向に延出する突起部（１０５ａ）を有し、
前記凹面（１０２ｂ）には前記突起部（１０５ａ）を挿入する穴（１０２ｃ）を有し、
前記接着剤（２０１）で前記突起部（１０５ａ）と前記穴（１０２ｃ）内側面を接着することを特徴とした撮像装置。
【発明の詳細な説明】
【技術分野】
【０００１】
本発明は、撮像装置に関し、特にグリップ部にゴム部品を具備した撮像装置に関するものである。
【背景技術】
【０００２】
近年、ユーザーがカメラで思い描いたような写真を撮れるように、ぶれ防止機構などを備えるカメラが増えてきた。しかし、如何にぶれ防止機構などをカメラに追加しても、ユーザーにとって持ちにくいカメラであれば折角の機能も性能を発揮できない。
【０００３】
そのためユーザーがカメラを確実に把持できるように、カメラの筺体部から凸形状、いわゆるグリップを形成し、グリップ部に沿ったゴム部品を筺体部品に両面接着紙で接着しているカメラが知られている。グリップ部はユーザーが常時手に触れるため、グリップ部からゴム部品が容易に剥離しないように、従来、ゴム部品の端部まで可能な限り接着面積を拡大し接着していた。つまり、前記ゴム部品をグリップ部から引き剥がすために要する力（以降、引き剥がし力とする）を大きくするため、ゴム部品の接着面に対する、両面接着紙が占める割合を大きくすることが重要であった。
【０００４】
しかし、カメラの小型化が進み、ゴム部品を貼り付ける接着面積が減少したため、既存の方法では引き剥がし力も減少し、ユーザーが容易にゴム部品をグリップ部から引き剥がせるようになってしまった。
【０００５】
そこで、グリップ部にゴム部品を備えるカメラにおいて、グリップ部にゴム部品を小スペースで、且つ要求の引き剥がし力を有するカメラが必要となった。
【０００６】
そのため、カメラにゴム部品を取り付ける方法が多々考えられている。プラスチックとエラストマーを２色成形し、該２色成形部品をカメラにビス固定する方法もその一つである。
【０００７】
特許文献１には、板金部品をゴム部品にインサート成形し、該板金に備える突出部をカメラ本体内に備える爪に係止する方法が開示されている。
【先行技術文献】
【特許文献】
【０００８】
【特許文献１】特開平１０−１８８５４４号公報
【発明の概要】
【発明が解決しようとする課題】
【０００９】
しかしながら、グリップ部に２色成形部品をビス固定する方法では、ビスを固定するためのスペースがカメラ内部に必要となり、カメラの大型化につながる。さらに、２色成形部品の特徴として、２色成形部品の肉厚に占めるゴムの割合が約半分しかないことである。そのため、２色成形部品と、該２色成形部品と同じ厚さのゴム部品では、ゴムが占める割合が大きい後者のゴム部品の方が弾力性を有し、グリップ性能が優れる。
【００１０】
また、上述の特許文献に開示された従来技術のインサート成形部品においては、前記２色成形部品よりもゴムが占める割合は大きくできる可能性はある。しかし、カメラのグリップ部に備える突出部と、インサート成形部品に備える係止部が爪嵌合するだけなので、グリップ部に対してインサート部品が若干のガタを生じる。ユーザーが常時手にするグリップ部材がガタを生じていては、品位を損なうだけではなく、意図した写真を撮影することも困難とし、カメラのグリップとしての機能を得ることができない。
【００１１】
そこで、本発明の目的は、グリップ部にゴム部品を備えるカメラにおいて、グリップ部にゴム部品を小スペースで、且つ要求の引き剥がし力を有するカメラを提供することである。
【課題を解決するための手段】
【００１２】
上記目的を達成するために、把持領域と指掛かり領域を備えるゴム製グリップ部材と、
前記ゴム製グリップ部材を設置する凹面を備える筺体部と、前記ゴム製グリップ部材を前記凹面に接着する接着剤と、を備える撮像装置において、前記ゴム製グリップ部材の指掛かり領域の接着面側には、前記撮像装置内部方向に延出する突起部を有し、前記凹面には前記突起部を挿入する穴を有し、前記接着剤で前記突起部と前記穴内側面を接着することを特徴とする。
【発明の効果】
【００１３】
本発明によれば、グリップ部にゴム部品を備えるカメラにおいて、グリップ部にゴム部品を小スペースで、且つ要求の引き剥がし力を有するカメラを提供することができる。
【図面の簡単な説明】
【００１４】
【図１】本発明に係るカメラ本体外観構成を示す外観図
【図２】前カバーユニット１０２の分解斜視図
【図３】前カバーユニット１０２のグリップ部１０２ａ部のみ切り出した図
【図４】本発明形状の特徴を示す断面形状と従来の特徴を示す断面図
【発明を実施するための形態】
【００１５】
以下に本発明の実施例について説明する。
【００１６】
［実施例１］
以下、図１〜図４を参照して、本発明の第1の実施例によるカメラについて説明する。
【００１７】
図１は本発明に係るカメラ本体のグリップ部にゴム部品を有するカメラ１０１の外観構成を示す図である。
【００１８】
カメラ１０１の前面は、前カバーユニット１０２で覆われ、該カメラ１０１の後面は後カバーユニット１０３で覆われている。前カバーユニット１０２の中央部孔内にはレンズ鏡筒ユニット１０４を備える。
【００１９】
前カバーユニット１０２を被写体側から見て左側は、被写体側に凸形状１０２ａ（以降、グリップ部）が形成され、撮影者がカメラ１０１を握りやすい曲面で構成されている。前記グリップ部１０２ａは、把持領域Ｈと指掛け領域Ｙの二つの領域に分けられる。前記把持領域Ｈは、カメラ１０１を手で把持した時に、手の指の腹が当接する面である。後者の指掛け領域Ｙは、カメラ１０１を手で把持した時に、指の側面が当接し、カメラ１０１が手から滑り落ちることを防止する指掛け部である。
【００２０】
グリップ部１０２ａには、前記把持領域Ｈと前記指掛け領域Ｙの両領域を含む深さ約１．５ｍｍの凹面１０２ｂを有する。凹面１０２ｂ内には、凹面１０２ｂの輪郭を約０．２ｍｍ程度縮小して形成されたゴム部材１０５が不図示両面接着紙で凹面１０２ｂに接着されている。ゴム部材１０５も、前記凹面１０２ｂ同様、前記把持領域Ｈと前記指掛け領域Ｙの両領域を含み形状で形成される。
【００２１】
図２は、前カバーユニット１０２の分解斜視図である。
【００２２】
両面接着紙２０１は、ゴム部材１０５の外形を全周約０．３ｍｍ小さくした、厚さ約０．１５ｍｍのシート形状である。
【００２３】
両面接着紙２０１を最初に貼り付けるのは、ゴム部材１０５、凹面１０２ｂの何れでも可能である。
【００２４】
上記各部材の特徴は図３を参照して説明する。
【００２５】
図３（ａ）は、前カバーユニット１０２のグリップ部１０２ａ部のみ切り出した図であり、図３（ｂ）は、図３（ａ）の分解斜視図である。
【００２６】
図３（ｂ）のゴム部材１０５は、ゴム部材１０５を接着面側から見た斜視図である。ゴム部材１０５の接着面側には、突起部１０５ａがカメラ１０１内部方向に延出して形成されている。前記突起部１０５ａは、指掛け領域Ｙ内に位置する。
【００２７】
凹面１０２ｂは、前記突起部１０５ａを挿入する穴１０２ｃを有する。両面接着紙２０１には、前記突起部１０５ａに沿うよう突起部２０１ａを有し、前記突起部１０５ａと穴１０２ｃの内側面を接着する。
【００２８】
前記突起部１０５ａを穴１０２ｃの内側面に接着することが本発明であり、ゴム部品１０５の引き剥がし力の関係を以下に説明する。
【００２９】
図４（ａ）は本発明形状の特徴を示すグリップ部の断面形状、図４（ｂ）は、従来の特徴を示すグリップ部の断面図を示す。図４（ａ）、（ｂ）を比較することで本発明の特徴を説明する。
【００３０】
図４（ａ）のように、上記ゴム部材１０５が有する突起部１０５ａは両面接着紙２０１に備える突起部２０１ａにより、穴１０２ｃ内側面に接着されている。従来の接着方法である図４（ｂ）では、凹面１０２ｂに沿ってのみゴム部材５０１を両面接着紙５０２で接着している。
【００３１】
ここで、前記ゴム部材１０２、５０１の端面をユーザーが爪の先で引き揚げた時を想定する。ゴム部材１０５、５０１をグリップ部材１０２から引き剥がした力、それぞれ引き剥がし力Ｆ１、Ｆ２とする。
【００３２】
先ず、従来の図５（ｂ）方式は、両面接着紙５０２に対し、略垂直方向に引き剥がし力Ｆ２が作用する。これに対し、本発明の図５（ａ）方式では、両面接着紙２０１に備える突起部２０１ａと略平行に引き剥がし力Ｆ１が作用する。両面接着紙で接着された物体を引きはがす力を考えたとき、該両面接着紙の接着面に対し、平行方向に引き剥がすよりも、該両面接着紙の接着面に対し、垂直方向に引き剥がす方が容易であることが知られている。
【００３３】
つまり、引き剥がし力のベクトルに対し、両面接着紙を同ベクトルに配置し、接着した図４（ａ）の引き剥がし力Ｆ１の方が、引き剥がし力のベクトルに対し、両面接着紙を略垂直方向に配置し、接着した図４（ｂ）の引き剥がし力Ｆ２よりも大きくなる。
【００３４】
本発明は、本実施例のようにゴム部品の端部に平面部を十分に確保できない場所ほど効果が高い。
【００３５】
また、穴１０２を凹面１０２ｂの側面から距離Ｗだけ離した位置に設けることで、ゴム部品１０５と凹面１０２ｂの隙間から穴１０２を隠すことができる。本実施例では、ゴム部品１０５が凹面１０２ｂの内側面から全周約０．２ｍｍ小さいので、穴１０２を凹面１０２ｂの側面から距離０．４ｍｍ離した位置に設けている。
【００３６】
さらに、突起部１０５ａを拡大することで引き剥がし力Ｆ１は調整可能である。
【００３７】
また、突起部１０５ａは指掛かり領域Ｙのように複雑な曲面で形成された接着が困難な箇所に設けること効果は大きい。
【００３８】
上述で示した通り、本発明によりグリップ部にゴム部品を備えるカメラにおいて、グリップ部にゴム部品を小スペースで、且つ要求の引き剥がし力を有するカメラを提供することができる。
【００３９】
以上、本発明の好ましい実施形態について説明したが、本発明はこれらの実施形態に限定されず、その要旨の範囲内で種々の変形及び変更が可能である。
【符号の説明】
【００４０】
１０１  カメラ本体
１０２  前カバーユニット
１０２ａ  グリップ部
１０２ｂ  凹面
１０２ｃ  穴
１０３  後カバーユニット
１０４  レンズ鏡筒
１０５  ゴム部材
１０５ａ  突起部
２０１  両面接着紙
２０１ａ  突起部
【図１】
2014215343.tif 000003
【図２】
2014215343.tif 000004
【図３】
2014215343.tif 000005
【図４】
2014215343.tif 000006